(57)【要約】【課題】持ち運びが容易で、人目を引くこともなく、物をつかむ補助もでき、また、簡単に、靴下が装着できる。【解決手段】柄１２には、靴下の袋口の内側に挿入されて、ネジ１４から開かれた場合、袋口の内側に係合するように凸部１５が設けられている。バネ１６は、袋口の内側に挿入された場合に、柄１５の開きを補助する。本考案は、足に靴下を装着するために、靴下の上端の袋口を挟み込んでつかむはさみ型の補助具に適用できる。【選択図】図１
0003159581.tif 000002
【実用新案登録請求の範囲】
【請求項１】
足に靴下を装着するために、前記靴下の上端の袋口を挟み込んでつかむはさみ型の補助具において、
前記袋口の内側に挿入されて、要から開かれた場合、前記袋口の内側に係合するように凸部が設けられている柄と、
前記袋口の内側に挿入された場合に、前記柄の開きを補助する開き補助手段と
を備える補助具。
【請求項２】
請求項１に記載の補助具において、
前記柄と刃とが湾曲している
補助具。
【請求項３】
請求項２に記載の補助具において、
閉じられた場合に前記柄と前記刃とがそれぞれに接する平面上の曲線に沿って湾曲している
補助具。
【請求項４】
請求項１に記載の補助具において、
閉じた場合に、前記柄の内側が隙間無く接する
補助具。
【考案の詳細な説明】
【技術分野】
【０００１】
本考案は補助具に関し、特に、足への靴下の装着を補助するはさみ型の補助具に関する。
【背景技術】
【０００２】
高齢者や、股関節または膝関節などに障害を有する者にとって、靴下の装着が困難であることことも多い。
【０００３】
従来、約５０ｃｍの柄の先に二股のフック支持部を取り付け、二つの先端に球状のフック部を取り付け、更に柄の先にフック部を取り付けて３個のフック部を三角形状に位置させて、これに靴下の開口部を外側に折り返した部分に外側から差し込んで立体的に靴下の開口部を開き履きやすくし、更に靴下を履いた後に靴下の開口部を整えるずり上げ用フック部と靴下を脱ぐ際に使用するずり下げ用フック部を取り付けるようにした着脱具がある（例えば、特許文献１参照）。
【先行技術文献】
【特許文献】
【０００４】
【特許文献１】特開２００９−１１９２２５号公報
【考案の概要】
【考案が解決しようとする課題】
【０００５】
しかしながら、特許文献１に記載の着脱具のように、靴下の装着を補助する器具の大きさは、大きく、持ち運びには適さない。また、日常的に使用される器具とは、全く形状が異なるので、これを人前で使用すると、人目を引くことになり、使用者は、引け目を感じてしまう。
【０００６】
また、従来の器具は、靴下の装着にしか使えず、日常的な操作を補助することはできなかった。
【０００７】
本考案は、このような状況に鑑みてなされたものであり、持ち運びが容易で、人目を引くこともなく、物をつかむ補助もでき、また、簡単に、靴下が装着できるようにするものである。
【課題を解決するための手段】
【０００８】
本考案の一側面の補助具は、足に靴下を装着するために、前記靴下の上端の袋口を挟み込んでつかむはさみ型の補助具であって、前記袋口の内側に挿入されて、要から開かれた場合、前記袋口の内側に係合するように凸部が設けられている柄と、前記袋口の内側に挿入された場合に、前記柄の開きを補助する開き補助手段とを備える。
【０００９】
柄と刃とを湾曲させることができる。
【００１０】
閉じられた場合に前記柄と前記刃とがそれぞれに接する平面上の曲線に沿って湾曲させることができる。
【００１１】
また、閉じた場合に、前記柄の内側が隙間無く接するようにすることができる。
【００１２】
本考案の一側面においては、柄が袋口の内側に挿入されて、要から開かれた場合、柄の凸部が袋口の内側に係合し、柄の開きが補助される。
【考案の効果】
【００１３】
以上のように、本考案の一側面によれば、簡単に、靴下が装着できる。
【００１４】
また、本考案の一側面によれば、持ち運びが容易で、人目を引くこともなく、物をつかむ補助もでき、また、簡単に、靴下が装着できる。
【図面の簡単な説明】
【００１５】
【図１】携帯型補助具１の正面図である。
【図２】携帯型補助具１の側面図である。
【図３】刃１１の先端部の構造を説明する図である。
【図４】開動部１３の構造を示す図である。
【図５】携帯型補助具１を用いた靴下の足への装着を説明する図である。
【図６】携帯型補助具１を用いた靴下の足への装着を説明する図である。
【考案を実施するための形態】
【００１６】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
本考案の一側面は、足に靴下を装着するために、前記靴下の上端の袋口を挟み込んでつかむはさみ型の補助具（例えば、図１の携帯型補助具１）であって、前記袋口の内側に挿入されて、要（例えば、図１のネジ１４）から開かれた場合、前記袋口の内側に係合するように凸部（例えば、図１の凸部１５）が設けられている柄（例えば、図１の柄１２）と、前記袋口の内側に挿入された場合に、前記柄の開きを補助する開き補助手段（例えば、図１のバネ１６）とを備える。
【００１８】
以下、図１乃至図６を参照して、本考案の一実施の形態の例である携帯型補助具１について説明する。図１は、携帯型補助具１の正面図であり、図２は、携帯型補助具１の側面図である。
【００１９】
図１および図２に示されるように、携帯型補助具１は、木材、プラスチック、または金属など、密度が比較的小さく、強度の比較的高い素材から成型され、対象物を挟み込んでつかむはさみ型とされている。例えば、携帯型補助具１の長さは、概ね３０ｃｍとされている。
【００２０】
携帯型補助具１を用いることで、靴下を足に装着する場合、靴下の上端の袋口を挟み込んでつかみ、靴下の袋口を引っ張り上げることができる。ここで、袋口とは、靴下に設けられている、足を入れる口である。袋口は、ゴム口などとも称されている。また、携帯型補助具１は、対象物を挟み込んでつかむはさみ型とされているので、靴下の装着だけでなく、床に落ちた物などを取ることができる。
【００２１】
高齢者などにおいて、靴下の装着が困難な理由の１つには、腰や膝が痛み屈むことができないことが挙げられる。この場合、靴下の装着と同様に、床に落ちた物などを屈み込んで取ることは困難である。このような場合に、携帯型補助具１を用いることで、靴下の足への装着が容易になり、また、届きにくいところにある物を取ることも容易になる。
【００２２】
図１および図２に示されるように、携帯型補助具１は、刃１１、柄１２、開動部１３、ネジ１４、凸部１５、およびバネ１６からなる。刃１１および柄１２は、それぞれ一対に形成されている。刃１１および柄１２は、開動部１３から一方が他方に対して開動することで、開閉する。
【００２３】
閉じられている場合、刃１１の先端部が、隙間無く接触し、刃１１の中間部には、２つの円弧をその弦で合わせた形状の隙間が形成される。なお、刃１１は、物を挟み込んでつかむためのものであり、切断することはできないようになされている。図３Ａは、図１のＡに示される刃１１の先端部の拡大図である。刃１１の先端部の内側（閉じた場合に接する側）には、滑り止めゴム２１−１および２１−２が装着されている。図３Ｂに示されるように、滑り止めゴム２１−１および２１−２の形状は、角が丸められた略長四角とされている。
【００２４】
刃１１の先端部が、隙間無く接触し、かつ、その内側に滑り止めゴム２１−１および２１−２が装着されているので、靴下の上端の袋口を挟み込んでつかむときに、滑ることがなく、確実に靴下の袋口を引っ張り上げることができる。また、この場合、靴下の上端の袋口の損傷を防止することができる。
【００２５】
さらに、クレジットカードや硬貨など、表面が平滑な物や、薄い物でも確実に挟み込むことができる。
【００２６】
さらにまた、刃１１の中間部に隙間が形成されているので、その隙間の部分に物を挟むことで、挟んだ物に対して開動部１３方向の力が生じることになり、ガラス瓶など、表面が滑りやすく円柱形状の物であっても、確実に挟み込むことができる。
【００２７】
開動部１３は、略円柱形状とこれに対応する凹状に形成されている。開動部１３の中心は、ネジ１４によって開動可能に螺合されている。開動部１３が略円柱形状とこれに対応する凹状に形成されているので、開閉された場合に、開動部１３に隙間ができず、指を挟んでしまったりすることを防止でき、また、携帯型補助具１をより小さく、かつ、滑らかな形状とすることができる。
【００２８】
図４は、図２のＢに示される開動部１３の構造を示す図である。開動部１３の中心には、開動部１３を貫通するように、円筒状のスペーサ３１が挿入される。ネジ１４の軸は、スペーサ３１の内部を通り、ネジ１４の頭によって、開動部１３が両側から押さえられる。これにより、刃１１および柄１２が、開動（開閉）可能とされている。スペーサ３１が挿入された開動部１３の両面には、ざぐりが設けられ、開動部１３の面からネジ１４の頭が突出しないようになされている。これにより、ネジ１４の緩みや、ネジ１４の引っかかりが防止される。
【００２９】
柄１２には、凸部１５が設けられている。凸部１５は、柄１２の外側、すなわち、柄１２同士の当たる側の反対側に設けられている。携帯型補助具１が開かれると（柄１２が開かれると）、凸部１５がより外側に張り出すことになる。
【００３０】
また、携帯型補助具１が閉じられると（柄１２が閉じられると）、柄１２の内側が隙間無く接するように形成されている。このようにすることで、閉じたときに、携帯型補助具１をより小さくし、携帯を容易にすることができる。
【００３１】
さらに、図２に示されるように、携帯型補助具１において、柄１２と刃１１とが湾曲している。より詳細には、閉じられた場合に柄１２と刃１１とがそれぞれに接する平面（図１中の手前側と奥側とに伸びる平面）（図２中の左右方向の平面）上の曲線に沿って携帯型補助具１が湾曲している。柄１２と刃１１とが湾曲しているのは、後述するように、靴下の上端の袋口に足を差し入れる場合に、携帯型補助具１が邪魔にならないようにするためである。
【００３２】
さらに、柄１２の開動部１３の近傍には、圧縮コイルバネであるバネ１６が設けられている。バネ１６は、柄１２を開くように付勢し、靴下の袋口の内側に携帯型補助具１が挿入された場合に、柄１３の開きを補助する。
【００３３】
なお、バネ１６は、柄１２を開くように付勢できれば良く、圧縮コイルバネに限らず、ねじりコイルバネ、板バネ、または竹の子バネとすることもできる。さらに、バネ１６に代えて、柄１２を開くように付勢して、柄１３の開きを補助するものとして、ゴムなどの弾性体を用いたり、エアまたはガスなどを用いるシリンダなどを用いることもできる。
【００３４】
また、バネ１６を刃１１の開動部１３の近傍に設けるようにしてもよい。
【００３５】
携帯型補助具１は、はさみと同様な形状をしているので、人前で使用しても、人目を引くことが無い。従って、使用者は、携帯型補助具１の使用に引け目を感じることもない。
【００３６】
また、靴下の装着だけでなく、様々な物を挟み込んでつかむこともできる。
【００３７】
さらに、携帯型補助具１は、閉じたときに、より小さな容積となり、突出した部分もほとんどなく、その携帯は容易で、携帯中に壊れやすいところもない。
【００３８】
次に、図５および図６を参照して、携帯型補助具１を用いた靴下の足への装着の仕方を説明する。
【００３９】
まず、刃１１が握られ、柄１２が閉じられた状態で、靴下の上端の袋口（ゴム口部）に柄１２が挿入される。この場合、靴下の上端の袋口に設けられているゴムより奥に、柄１２に設けられている凸部１５が入れられる。より好ましくは、靴下の脚部が横向きで、靴下の踵部分が下を向いている状態にされた靴下の上端の袋口（ゴム口部）に、柄１２と刃１１とが左右に開閉でき、かつ、刃１１と共に湾曲している柄１２の先端が開動部１３より下になる姿勢で、柄１２の凸部１５が挿入される。
【００４０】
この状態で、刃１１の握りを緩めると、バネ１６の付勢力によって、柄１２が開かれる。すると、靴下の上端の袋口に設けられているゴムが縮もうとする力に反して、柄１２が開かれるので、凸部１５が靴下の上端の袋口の内側に係合することになる。
【００４１】
その結果、靴下の袋口が開かれた状態が維持される。従って、足先（つま先）を靴下の袋口に容易に差し込むことができる。また、この場合、携帯型補助具１の長さ（約３０ｃｍ）によって、屈む必要もない。さらに、柄１２の先端が開動部１３より下になるように、刃１１と柄１２が湾曲しているので、柄１２の間から足先を滑り込ませれば、柄１２が邪魔にならずに、靴下の袋口に足先を差し込むことができる。
【００４２】
図５に示されるように、足先を靴下の袋口に差し込んで、携帯型補助具１の刃１１を手前側に引っ張れば、靴下の袋口が足の土踏まずの部分にくるまで、簡単に装着できる。このとき、バネ１６の付勢力によって、柄１２が開かれた状態が維持されるので、単に、刃１１を引っ張れば良く、刃１１を開きながら引っ張る必要はない。
【００４３】
袋口が足の土踏まずの部分にくるまで、靴下が装着されたら、靴下から携帯型補助具１を取り外して、携帯型補助具１の柄１２を持つように、携帯型補助具１を持ち替える。そして、図６に示されるよう、柄１２を握って、刃１１の先端部で靴下の袋口を挟み込んでつかみ、袋口を足の踵より上に引っ張り上げれば、足に靴下を完全に装着することができる。
【００４４】
このように、簡単に、靴下が装着できる。
【００４５】
また、閉じた状態では、ほぼ棒状になるので、持ち運びが容易になる。さらに、見慣れたはさみ型をしているので、人目を引くこともない。さらにまた、靴下以外の物をつかむこともできる。
【００４６】
以上のように、持ち運びが容易で、人目を引くこともなく、物をつかむ補助もでき、また、簡単に、靴下が装着できる。
【００４７】
なお、刃１１と共に湾曲している柄１２の先端が開動部１３より上になるように、柄１２の凸部１５が靴下の上端の袋口（ゴム口部）に挿入するようにしてもよい。この場合には、靴下の自重によって、袋口への凸部１５の挿入が容易になる。
【００４８】
このように、刃の先端部で靴下の袋口を挟み込んでつかむようにした場合には、簡単に、靴下が装着できる。また、柄に設けられている凸部が、袋口の内側に挿入されて、要から開かれた場合、袋口の内側に係合し、袋口の内側に挿入された場合に、柄の開きが補助されるようにした場合には、持ち運びが容易で、人目を引くこともなく、物をつかむ補助もでき、また、簡単に、靴下が装着できるようになる。
【００４９】
また、本考案の実施の形態は、上述した実施の形態に限定されるものではなく、本考案の要旨を逸脱しない範囲において種々の変更が可能である。
【符号の説明】
【００５０】
１  携帯型補助具，  １１  刃，  １２  柄，  １３  開動部，  １４  ネジ，  １５  凸部，  １６  バネ，  ２１−１および２１−２  滑り止めゴム，  ３１  スペーサ
【図１】
0003159581.tif 000003
【図２】
0003159581.tif 000004
【図３】
0003159581.tif 000005
【図４】
0003159581.tif 000006
【図５】
0003159581.tif 000007
【図６】
0003159581.tif 000008